(57)【要約】      （修正有）【課題】弾性クリッパーの弾力作用により、ランプ両端の接続端子を該金属端子座に直接的に係止でき、弾性クリッパーとランプの接続端子周縁を被覆的に面接触させることで、良好な電気的接続効果を備えることができる、より便利かつ効率的な組立方式を提供する。【解決手段】ランプ接続ソケット構造は、ランプ両端の接続端子を電気的に接続できるランプ接続ソケット構造であって、本体１及び金属端子座２を含み、前記本体は少なくとも一つの収容溝１１を有し、前記金属端子座は収容溝内に設けられ、また、該金属端子座はランプの接続端子を弾性的に挟持するための弾性クリッパー２１を備える。【選択図】図１
0003137059.tif 000002
【実用新案登録請求の範囲】
【請求項１】
ランプの両端に対応して設けられ、ランプ両端の接続端子を電気的に接続するランプ接続ソケット構造であって、
少なくとも一つの収容溝を有する本体と、
前記収容溝内に設けられ、ランプの接続端子を弾性的に挟持するための弾性クリッパーを有する金属端子座を含むランプ接続ソケット構造。
【請求項２】
前記金属端子座が前記収容溝内に係合する係合部を備えることを特徴とする請求項１記載のランプ接続ソケット構造。
【請求項３】
前記弾性クリッパーが曲折的に成形される金属シートを２つ備え、前記２つの金属シートがともに挟持空間を形成することを特徴とする請求項１記載のランプ接続ソケット構造。
【請求項４】
前記本体上端に上蓋が設けられ、前記上蓋は前記収容溝に対応して成形される開口部を有することを特徴とする請求項１記載のランプ接続ソケット構造。
【請求項５】
前記本体に滑り溝が複数設けられ、前記上蓋にレールが複数設けられることにより、これらのレールを前記滑り溝内に摺動的に設けることを特徴とする請求項４記載のランプ接続ソケット構造。
【考案の詳細な説明】
【技術分野】
【０００１】
本考案は、ランプ接続ソケット構造、特に熱陰極管(HCFL)を差し込んで通電させることができる構造を提供する。
【背景技術】
【０００２】
昨今、液晶ディスプレイは益々普及しているが、液晶ディスプレイ技術の発展に伴い、その周辺の関連光学技術も高度化してきている。いわゆるバックライトモジュールとは、ディスプレイの裏面に装着され、発光素子により光を発光することにより、ディスプレイに十分な輝度を提供し、最も好適な視覚表示効果を達成させるものである。
【０００３】
従来のランプ接続ソケットは、該ランプの両端に設置され、かつ挿穴が一つ設けられる。また、該挿穴内に導電素子が配される。該ランプの接続端子は該挿穴内に差し込まれる。その頂端が前記導電素子に当接することにより、電気的に接続する効果を発揮し、ディスプレイが要する光学効果は該ランプによって発揮される。
【０００４】
しかしながら、該ランプの接続端子は、挿着方式で該挿穴内に差し込まれるものであり、装着し難く、位置あわせが安定しないという欠点を有する。さらに、組立の過程においては構造上の損壊が発生し易く、電気的な接触不良等を引き起こす場合がある。また、接続端子の細い先端に起因して導電素子との電気的接続が比較的不安定となるため、ランプの発光効果に影響を及ぼし、不良な視覚表示効果を起こすことになる。
【０００５】
そのため、本考案者は、前記欠点を改良することを目的として、長年この領域で積み立てた経験を用いて、専念な観察かつ研究をし、さらに学術理論を適用し、合理的な設計且つ前記の欠点を有効に改善する本考案を提案した。
【考案の開示】
【考案が解決しようとする課題】
【０００６】
本考案の主な目的は、より便利かつ効率的な組立方式を提供するとともに、良好な電気的接続効果を有し、組立の際に構造が損壊されるリスクを低下させることが出来るランプ接続ソケット構造を提供することにある。
【課題を解決するための手段】
【０００７】
前記目的を達成するため、本考案は、ランプ両端の接続端子を電気的に接続できるランプ接続ソケット構造であって、少なくとも一つの収容溝を有する本体と、前記収容溝内に設けられ、ランプの接続端子を弾性的に挟持するための弾性クリッパーを有する金属端子座とを含むランプ接続ソケット構造を提供する。
【考案の効果】
【０００８】
本考案は以下に示す効果を有する。すなわち、弾性クリッパーの弾力作用により、ランプ両端の接続端子を前記金属端子座に直接に係止させることができ、より便利かつ効率的な組立方式を提供でき、かつ、弾性クリッパーとランプの接続端子周縁を被覆的に面接触させることにより、良好な電気的接続効果が与えられる。
【考案を実施するための最良の形態】
【０００９】
以下に示す本考案の詳細な説明及び添付図面を参照することにより、本考案に係る特徴および技術内容をより深く理解できるが、これらの添付図面は参考及び説明のみに使われ、本考案の実用新案登録請求の範囲を狭義的に局限するものではないことは言うまでもない。
【００１０】
図１〜図５に示すように、本考案に係るランプ接続ソケット構造は、ランプ両端に対応して設けられ、ランプ両端の接続端子を電気的に接続できるランプ接続ソケット構造であって、本体１と、一対の金属端子座２とを含む。
【００１１】
図１〜図４に示すように、本体１は、絶縁材料で成形されかつランプ４両端に対応して２つ設けられ、該本体１の上端には、一対の収容溝１１が凹設成形され、該一対の収容溝１１は該本体１の片側端部に連通される。該本体１の片側端部には支持部１２が延出して成形され、該支持部１２の外形はランプ４に対応する半円状構造で、ランプ４の両端を支持でき、安定した位置あわせを達成する。
【００１２】
該一対の金属端子座２は、該収容溝１１内に並列的に設置される。かつ、該一対の金属端子座２の底端には、それぞれ、該収容溝１１内に係止される係合部２２が設置される。また、係合部２２が、該一対の金属端子座２を固着する。該一対の金属端子座２の上端にはそれぞれ弾性クリッパー２１が設けられ、該弾性クリッパー２１は２つの導電性良好な金属シート２１１からなる。該２つの金属シート２１１は曲折可能に成形されるともに接続端子４１に対応する円形の挟持空間２１２を形成する。また、該２つのシート２１１は、挟持空間２１２の上方にそれぞれ外向きに分岐される。
【００１３】
該本体１の上端には上蓋３が設けられ、該上蓋３には該収容溝１１に対応して接続端子４１を通過させるための一対の開口部３１が設けられる。該本体１の上端面には一対の滑り溝１３及び一対のレール１４が設けられ、該上蓋３には該一対のレール１４及び滑り溝１３と対応する一対の滑り溝３２及びレール３３が成形される。滑り溝１３、３２及びレール１４、３３が協働することにより、上蓋３を摺動的に該本体１の上端面に位置をあわせることができる。また、該一対の開口部３１が該一対の金属端子座２の上方に位置される。
【００１４】
該本体１の下端面には下蓋５が設けられ、該下蓋５が該本体１に隙間なく気密に接合することにより、塵埃防止の効果を果たし、製品の寿命を延長させることができる。
【００１５】
図５〜図８に示すように、上記のように、該ランプ４を該金属端子座２に装着しようとすると、先ず、該ランプ４の両端にある一対の接続端子４１が対応する上蓋３の開口部３１内に差し込まれる。そして、該ランプ４の両端にある一対の接続端子４１が、該一対の弾性クリッパー２１の上端に分岐される部分に当接される。両端の接続端子４１がともに正確な場所に位置していることを確認した後に、ランプ４に対して僅かに圧力を印加すると、該一対の接続端子４１は、該２つの金属シート２１１が開くように押し付ける。また、該一対の接続端子４１は、中間に位置する挟持空間２１２に滑り込む。この時、これらの接続端子４１は、該２つの金属シート２１１（弾性クリッパー２１）によって面接触方式で緊密的に被覆され、最も好適な電気的接続効果を達成する。
【００１６】
弾性クリッパー２１の弾力作用により、ランプ４両端の接続端子４１は該金属端子座２に直接的に係止されることが可能となり、より便利かつ効率的な組立方式を提供することが可能となる。また、弾性クリッパー２１とランプ４の接続端子周縁を被覆的に面接触させることで、同時に良好な電気的接続効果を備えることができる。
【００１７】
前記説明は、単に本考案の好ましい具体的な実施例に過ぎず、本考案の実用新案登録請求の範囲を局限するものではない。当該分野における通常の知識を有する当業者が本考案の分野の中で適当に変更や改良などを実施できるが、それら実施形態はすべて本考案の主張する技術的範囲内に収まるべきことは言うまでもない。
【図面の簡単な説明】
【００１８】
【図１】本考案に係るランプ接続ソケット構造を示す斜視分解図である。
【図２】本考案に係るランプ接続ソケット構造を示す斜視組立図である。
【図３】本考案に係るランプがランプ接続ソケット構造に組み立てられる状態を示す斜視分解図である。
【図４】本考案に係るランプがランプ接続ソケット構造に組み立てられた状態を示す図である。
【図５】本考案に係るランプ接続ソケット構造を示す側断面図である。
【図６】本考案に係るクリッパーが接続端子を挟持する状態を示す図である。
【図７】本考案に係るクリッパーが接続端子を挟持する状態を示す図である。
【図８】本考案に係るクリッパーが接続端子を挟持する状態を示す図である。
【符号の説明】
【００１９】
１        本体
１１      収容溝
１２      支持部
１３      滑り溝
１４      レール
２        金属端子座
２１      弾性クリッパー
２１１    金属シート
２１２    挟持空間
３        上蓋
３１      開口部
３２      滑り溝
３３      レール
４        ランプ
４１      接続端子
５        下蓋
【図１】
0003137059.tif 000003
【図２】
0003137059.tif 000004
【図３】
0003137059.tif 000005
【図４】
0003137059.tif 000006
【図５】
0003137059.tif 000007
【図６】
0003137059.tif 000008
【図７】
0003137059.tif 000009
【図８】
0003137059.tif 000010